(57)【要約】【課題】メールの送信を利用者に意識させずに、予め登録された関係者のメールアドレスに評価点数を送信できる心身状態監視装置を提供する。【解決手段】制御部２０が、心身状態管理アプリを終了したときに、情報保存部１３に記憶された評価点数が更新されていれば、情報保存部１３の項目テーブルＴ１に記憶された、項目及び日付に関連付けられた評価点数、及び、情報保存部１３に記憶された利用者情報を、送信先メールアドレスに送るようにｗｅｂサーバに依頼する。【選択図】図２
2017123098.tif 000002
【特許請求の範囲】
【請求項１】
心身に係る複数の項目が記憶される項目記憶手段と、
前記複数の項目のそれぞれについての１日毎の評価点数が利用者により入力される評価点数入力手段と、
前記評価点数入力手段に入力された前記評価点数を、それに対応する前記項目及び日付に関連付けて前記項目記憶手段に記憶させる評価点数記憶処理手段と、
前記利用者の情報が記憶された利用者情報記憶手段と、
前記評価点数の送信先メールアドレスが記憶されたアドレス記憶手段と、
前記評価点数入力手段及び前記評価点数記憶処理手段を実行するアプリケーションを終了したときに、前記項目記憶手段に記憶された前記評価点数が更新されていれば、当該項目記憶手段に記憶された、前記項目及び日付に関連付けられた前記評価点数、前記利用者情報記憶手段に記憶された利用者情報、及び、前記アドレス記憶手段に記憶された送信先メールアドレスをサーバに送信し、前記送信先メールアドレス宛てにメールを送信するように依頼する依頼処理手段と、
を備えたことを特徴とする心身状態管理装置。
【請求項２】
メールアドレスが入力されるアドレス入力手段と、
前記アドレス入力手段により入力された前記メールアドレスにテストメールを送信するテストメール送信手段と、
前記テストメールを送信した前記メールアドレスを前記評価点数の送信先メールアドレスとして前記アドレス記憶手段に記憶させるアドレス記憶処理手段と、
を備えたことを特徴とする請求項１に記載の心身状態管理装置。
【請求項３】
任意の文章が記憶される文章記憶手段と、
前記利用者により文章が入力される文章入力手段と、
前記文章入力手段に入力された前記文章を日付に関連付けて前記文章記憶手段に記憶させる文章記憶処理手段と、
前記文章記憶手段に記憶された前記文章を前記送信先メールアドレスに送るか否かを前記利用者により選択される送信選択手段と、を備え、
前記依頼処理手段は、前記送信選択手段に送るが選択されている場合、前記文章記憶手段に記憶された前記文章を前記送信先メールアドレスに送るようにサーバに依頼し、前記送信選択手段に送らないが選択されている場合、前記文章を前記送信先メールアドレスに送るように依頼しない
ことを特徴とする請求項１又は２に記載の心身状態管理装置。
【発明の詳細な説明】
【技術分野】
【０００１】
本発明は、例えば、精神状態、体調及び行動などの心身に係る項目についての管理に用いられる心身状態管理装置に関するものである。
【背景技術】
【０００２】
近年、うつ病をはじめとする精神疾患と診断される患者が増加傾向にある。精神疾患は、専門医の下で治療を行うことが最も重要であるが、患者自身においても、病状を快復させるために生活習慣の改善やものごとの考え方の修正、ストレス解消などを行うことが重要である。
【０００３】
精神疾患の患者においては、調子のよい日と調子の悪い日とを長い周期で繰り返す傾向にある。そのため、日々の精神状態、体調及び行動などを継続して記録することは、患者本人において調子の傾向を知る上で大変重要な情報となり、病状快復の手がかりを見つけるための手段にもなり得るとともに、医師においても治療を行う上で大変重要な情報となり、治療方針の決定に役立てることができる。
【０００４】
そこで、例えば「食事」、「気分」、「睡眠」などの心身に係る項目が予め設定され、利用者によって各項目それぞれについての１日毎の評価点数を入力できる心身状態管理装置が提案されている（例えば特許文献１）。
【先行技術文献】
【特許文献】
【０００５】
【特許文献１】特開２０１４−２２５０６４号公報
【発明の概要】
【発明が解決しようとする課題】
【０００６】
上述した従来の心身状態監視装置は、利用者が自身の評価点数を入力し、利用者本人がその評価点数を参照するものであった。しかし、利用者本人以外の関係者、例えば、家族、医師、カウンセラーなどが、利用者の評価点数を参照するためには、利用者本人の端末を直接参照するか、利用者本人が関係者にメール等により報告する必要があった。ところが、端末は利用者本人が携帯するため、関係者が参照するのは不便である。また、利用者本人にメール送信を行わせることは本人の負担となってしまい病状回復の観点から好ましくない。
【０００７】
そこで、本発明は、メールの送信を利用者に意識させずに、予め登録された関係者のメールアドレスに評価点数を送信できる心身状態監視装置を提供することを課題とする。
【課題を解決するための手段】
【０００８】
請求項１に記載の発明は、心身に係る複数の項目が記憶される項目記憶手段と、前記複数の項目のそれぞれについての１日毎の評価点数が利用者により入力される評価点数入力手段と、前記評価点数入力手段に入力された前記評価点数を、それに対応する前記項目及び日付に関連付けて前記項目記憶手段に記憶させる評価点数記憶処理手段と、前記利用者の情報が記憶された利用者情報記憶手段と、前記評価点数の送信先メールアドレスが記憶されたアドレス記憶手段と、前記評価点数入力手段及び前記評価点数記憶処理手段を実行するアプリケーションを終了したときに、前記項目記憶手段に記憶された前記評価点数が更新されていれば、当該項目記憶手段に記憶された、前記項目及び日付に関連付けられた前記評価点数、前記利用者情報記憶手段に記憶された利用者情報、及び、前記アドレス記憶手段に記憶された送信先メールアドレスをサーバに送信し、前記送信先メールアドレス宛てにメールを送信するように依頼する依頼処理手段と、を備えたことを特徴とする心身状態管理装置である。
【０００９】
請求項２に記載の発明は、請求項１に記載された発明において、メールアドレスが入力されるアドレス入力手段と、前記アドレス入力手段により入力された前記メールアドレスにテストメールを送信するテストメール送信手段と、前記テストメールを送信した前記メールアドレスを前記評価点数の送信先メールアドレスとして前記アドレス記憶手段に記憶させるアドレス記憶処理手段と、を備えたことを特徴とする。
【００１０】
請求項３に記載の発明は、請求項１又は２に記載された発明において、任意の文章が記憶される文章記憶手段と、前記利用者により文章が入力される文章入力手段と、前記文章入力手段に入力された前記文章を日付に関連付けて前記文章記憶手段に記憶させる文章記憶処理手段と、前記文章記憶手段に記憶された前記文章を前記送信先メールアドレスに送るか否かを前記利用者により選択される送信選択手段と、を備え、前記依頼処理手段は、前記送信選択手段に送るが選択されている場合、前記文章記憶手段に記憶された前記文章を前記送信先メールアドレスに送るようにサーバに依頼し、前記送信選択手段に送らないが選択されている場合、前記文章を前記送信先メールアドレスに送るように依頼しないことを特徴とする。
【発明の効果】
【００１１】
以上説明したように請求項１記載の発明によれば、利用者は、評価点数の入力を行い、アプリケーションを終了するだけで、メールの送信を意識することなく、あらかじめ登録された、関係者のメールアドレスに対して、評価点数をメールで送信できる。このことにより、関係者は、利用者が入力した評価点数をメールにて受信して、確認することができる。
【００１２】
請求項２記載の発明によれば、送信先メールアドレスの持ち主である関係者は、テストメールを受信することにより、メールアドレスが正常に登録されたことを判断することができる。
【００１３】
請求項３記載の発明によれば、文章を送信するか否かを利用者が選択することができる。これにより、日記のような任意の文章はプライバシーの関係から内容によっては関係者に見られたくないという心理があるが、そのような場合は文章を送らないようにすることができる。
【図面の簡単な説明】
【００１４】
【図１】本発明の一実施形態の心身状態管理装置としてのスマートフォンの正面図である。
【図２】図１のスマートフォンの機能ブロック図である。
【図３】図２の情報保存部に記憶される項目テーブル及びコメントテーブルの一例を示す図である。
【図４】図１に示すスマートフォンを組み込んだ通信ネットワークを示すブロック図である。
【図５】図１のタッチパネル式ディスプレイに表示されるデータ入力画面の一例を示す図である（今日の評価点数及びコメントが入力される前の状態）。
【図６】家族メール通知設定処理における制御部の処理手順を示すフローチャートである。
【図７】図１のタッチパネル式ディスプレイに表示される名前登録・送信内容設定画面の一例を示す図である。
【図８】図１のタッチパネル式ディスプレイに表示される送信先メールアドレス登録／送信画面の一例を示す図である。
【図９】図１のタッチパネル式ディスプレイに表示されるテストメール送信画面の一例を示す図である。
【図１０】図１のスマートフォンがｗｅｂサーバに送るテストメールの一例を示す図である。
【図１１】図１のタッチパネル式ディスプレイに表示される評価点数入力画面の一例を示す図である。
【図１２】図１のタッチパネル式ディスプレイに表示されるコメント入力画面の一例を示す図である。
【図１３】家族メール通知処理における制御部の処理手順を示すフローチャートである。
【図１４】図１のスマートフォンがｗｅｂサーバに送る点数＋日記メールの一例を示す図である。
【図１５】図１のスマートフォンがｗｅｂサーバに送る点数のみメールの一例を示す図である。
【発明を実施するための形態】
【００１５】
［１．発明の実施形態の概要］
スマートフォンは、様々な種類のアプリケーションプログラム（以下、単に「アプリ」という）を実行可能な高機能の携帯電話であり、目的に応じたアプリを実行することにより、各種装置として機能する。本実施形態は、スマートフォンにおいて心身に係る項目を管理するためのアプリを実行することにより、当該スマートフォンを心身状態管理装置として機能させるものである。
【００１６】
本実施形態において、「心身に係る項目」とは、心の状態や身体の状態に影響を与えると考えられる項目であって、例えば、（ａ）そのときの機嫌や気分などの精神状態、（ｂ）頭痛、腹痛などの痛みの有無、発熱状態、食欲状態、排便状態、体力状態などの体調、（ｃ）睡眠量、運動量、食事量、対人関係、仕事量、趣味の時間などの行動、が含まれる。勿論、これらは一例であって、本発明の目的に反しない限り、これら以外の項目を含めてもよい。
【００１７】
［２．実施形態の構成説明］
以下、本発明の一実施形態の心身状態管理装置であるスマートフォンの構成について、図１〜図３を参照して説明する。
【００１８】
図１は、本発明の一実施形態の心身状態管理装置としてのスマートフォンの正面図である。図２は、図１のスマートフォンの機能ブロック図である。図３は、図２の情報保存部に記憶される項目テーブル及びコメントテーブルの一例を示す図である。
【００１９】
図１に示すように、本実施形態のスマートフォン（図中、符号１で示す）は、タッチパネル式ディスプレイ１０と、複数の操作ボタン１１ａ〜１１ｃを有する操作部１１と、を備えている。
【００２０】
タッチパネル式ディスプレイ１０は、後述する制御部２０から出力された表示制御情報に応じて文書や画像などの各種画面を表示するとともに当該各種画面内でボタンやテキスト入力エリア、キーボード、テンキーなどの操作アイテムを表示する。また、タッチパネル式ディスプレイ１０は、上記操作アイテムに対応する箇所に利用者によって接触操作が入力される。ここで、接触操作には、例えば、タップ（指で比較的短い期間接触する）、ロングタップ（指で比較的長い期間接触する）、フリック（指を接触して所定方向に短く払う（短くスライドする）及びドラッグ（指を接触したままスライドさせたのち指を離す）などがある。本明細書において、「指」には、例えば、スタイラスペンなどの指と同等の操作入力手段を含む。即ち、タッチパネル式ディスプレイ１０は、表示機能及び操作入力機能をともに有している。タッチパネル式ディスプレイ１０は、評価点数入力手段、アドレス入力手段、文章入力手段及び送信選択手段として機能する。
【００２１】
操作部１１の複数の操作ボタン１１ａ〜１１ｃは、例えば、押しボタンスイッチなどで構成されている。これら複数の操作ボタン１１ａ〜１１ｃは、押圧操作されることにより、例えば、アプリにおいて１つ前の画面に戻ったり、アプリの機能メニューを表示したり、アプリを終了したりする。
【００２２】
図２に示すように、スマートフォン１は、上述したタッチパネル式ディスプレイ１０及び操作部１１に加えて、情報記憶部１２と、情報保存部１３と、通信部１４と、制御部２０と、を備えている。
【００２３】
情報記憶部１２は、例えば、ＤＲＡＭなどの書き換え可能なメモリで構成されており、アプリによって一時的に使用される情報などが記憶される。情報保存部１３は、例えば、フラッシュメモリなどの書き換え可能な不揮発性メモリで構成されており、スマートフォン１の電源を落とした場合でも、保持する必要がある情報が記憶されている。本実施形態において、情報保存部１３には、例えば、スマートフォン１を心身状態管理装置として機能させるための心身状態管理アプリなどの各種アプリが記憶されている。また、情報保存部１３には、図３に一例を示すように、心身に係る複数の項目（図示例では、気分、体調、睡眠、運動、食事、仕事、対人、趣味、休息、＋思考）を記憶するとともに、これら複数の項目に対応した評価点数（本実施形態では、最高５点、最低０点とし、０．５点刻みで採点）を日付毎に記憶する項目テーブルＴ１が設けられている。また、情報保存部１３には、図３に一例を示すように、利用者によって入力された任意の文章を日付毎に記憶するコメントテーブルＴ２が設けられている。情報保存部１３は、項目記憶手段、利用者情報記憶手段、アドレス記憶手段及び文章記憶手段として機能する。
【００２４】
通信部１４は、図４に示すように、クライアント端末であるスマートフォン１が携帯電話網およびインターネット回線を通じてｗｅｂサーバ２と通信を行うためのインタフェースである。ｗｅｂサーバ２は、図示しないメールサーバを介して、他の関係者端末３１〜３５にメールを送信することができる。
【００２５】
制御部２０は、マイクロコンピュータで構成されており、スマートフォン１の全体の制御を司る。制御部２０には、タッチパネル式ディスプレイ１０、操作部１１、情報記憶部１２、情報保存部１３及び通信部１４が接続されている。
【００２６】
制御部２０は、情報保存部１３に保存された心身状態管理アプリを実行することにより、評価点数記憶処理手段、依頼処理手段、テストメール送信手段、アドレス記憶処理手段、文章記憶処理手段、などの各種手段として機能する。
【００２７】
［３．実施形態の動作説明］
次に、スマートフォン１の心身状態管理装置としての動作の一例について、図５〜図１５を参照して説明する。以下の説明において、「今日」とは、操作入力している日（説明内の例では２月２６日）を示し、「当日」とは、編集及び表示の対象となる日を示し、「前日」とは、当日の１日前の日を示している。
【００２８】
スマートフォン１において、心身状態管理アプリが起動されると、「当日」の日付として、「今日」の日付を設定して、タッチパネル式ディスプレイ１０に、図５に示すデータ入力画面Ｇ１を表示する。
【００２９】
図５に示すデータ入力画面Ｇ１では、上部に、終了ボタン１０１などの複数のボタンが横方向に並べて配置され、これらボタンの下方に、当日の日付を表示する日付欄１０２が配置されている。日付欄１０２の下方に、表・コメント表示エリア１０３が配置されている。この表・コメント表示エリア１０３における上方には、心身に係る複数の項目及び当該項目に対応する評価点数を表示する表１０３ａが配置されている。表・コメント表示エリア１０３を上方に向かってフリックすると、表１０３ａが上方にスライドして、その表１０３ａの下方に日付欄１０２に示された日付に対応するコメント（文章）を表示するコメント欄（図示せず）が表示される。
【００３０】
表１０３ａ及びコメント欄の右方に、項目選択シンボル１０３ｂが配置されている。コ表・コメント表示エリア１０３の下方でデータ入力画面Ｇ１の下部に、家族メール通知ボタン１０４（本図で「心の声ＯＦＦ」と表示されている）、前の日ボタン１０５、次の日ボタン１０６、今日ボタン１０７などが横方向に並べて配置されている。図５のデータ入力画面Ｇ１は、図３に示す情報保存部１３に対応して表示されたものであり、心身に係る複数の項目に対する当日（即ち、今日）の評価点数及び当日のコメントが未だ入力されていない状態を表示している。
【００３１】
データ入力画面Ｇ１の表１０３ａは、列タイトル欄１０３ａ１と、項目名欄１０３ａ２と、前日評価点数欄１０３ａ３、当日評価点数欄１０３ａ４と、を有している。列タイトル欄１０３ａ１は、列方向（図中縦方向）に並ぶ各情報に関する見出し（タイトル）を示し、具体的には、心身に係る複数の項目の名称の見出しである「項目」、各項目の前日の評価点数の見出しである「前日」、各項目の当日の評価点数の見出しである「当日」を横方向に順に並べて表示する。項目名欄１０３ａ２に、心身に係る複数の項目の名称を縦方向に順に並べて表示する。この表示順序は、情報保存部１３の項目テーブルＴ１における記憶順序（上からの順番）と一致する。前日評価点数欄１０３ａ３に、日付欄に表示された日付の前日における各項目の評価点数を表示する。当日評価点数欄１０３ａ４に、日付欄に表示された日付における各項目の評価点数を表示する。図５においては、当日の評価点数が未入力のため、当日評価点数欄１０３ａ４が空欄となっている。
【００３２】
データ入力画面Ｇ１の項目選択シンボル１０３ｂは、表１０３の項目名欄１０３ａ２に表示された心身に係る複数の項目及びコメント欄のそれぞれに対応して複数個設けられており、現在選択されている項目に対応するシンボルを所定の選択形状（例えば、黒丸）で表示し、選択されていない項目に対応する他のシンボルを上記選択形状と異なる所定の非選択形状（例えば、白抜き丸）で表示する。
【００３３】
このデータ入力画面Ｇ１において、タッチパネル式ディスプレイ１０における前の日ボタン１０５を表示している箇所がタップされると、日付欄１０２に表示されている日付の１日前を当日としたデータ入力画面Ｇ１を表示し、今日ボタン１０７がタップされると、今日を当日としたデータ入力画面Ｇ１を表示し、次の日ボタン１０６がタップされると、日付欄１０２に表示されている日付の１日後を当日としたデータ入力画面Ｇ１を表示する。
【００３４】
[３．１．１.家族メール通知設定]
このデータ入力画面Ｇ１において、家族メール通知ボタン１０４を表示している箇所がタップされる（以下、同様の操作について、単に「ボタンがタップされる」などと表現する）と、制御部２０は図６に示す家族メール通知設定処理を開始する。なお、図５において家族メール通知ボタン１０４には、「心の声ＯＦＦ」と表示され、入力した評価点数が関係者にメール送信されないことを示している。
【００３５】
家族メール通知設定処理において、制御部２０は、まず図７に示す名前登録・送信内容設定画面Ｇ２を表示する（ステップＳ１）。名前登録・送信内容設定画面Ｇ２では、上部に「名前登録・送信内容設定」との文字が配置されている。この下に、利用者の姓が入力されるテキスト入力エリア２０１と、利用者の名が入力されるテキスト入力エリア２０２と、が横方向に並べて配置されている。これらテキスト入力エリア２０１、２０２の下方に「送信内容設定」との文字が配置されている。さらにこの下に、「Ａ：点数のみ送る」、「Ｂ：点数＋日記を送る」との文字が縦方向に並べて配置されている。この「Ａ：点数のみ送る」、「Ｂ：点数＋日記を送る」の右横にはそれぞれ送信選択手段であるチェックボックス２０３Ａ、２０３Ｂが配置されている。さらに、「Ａ：点数のみ送る」、「Ｂ：点数＋日記を送る」の下方には、戻るボタン２０４と、次へボタン２０５と、が横方向に並べて配置されている。
【００３６】
名前登録・送信内容設定画面Ｇ２において、テキスト入力エリア２０１、２０２がタップされると、キーボード（図示なし）を表示する。利用者はこのキーボートを用いて、利用者自身の姓と名を入力する。テキスト入力エリア２０１、２０２に入力された情報は、入力者情報として情報記憶部１２に一時的に記憶される。
【００３７】
チェックボックス２０３Ａ、２０３Ｂはタップされる毎に、非選択形状（例えば、空欄）と選択形状（例えばレ点）との間で切り替えられる。利用者はチェックボックス２０３Ａ、２０３Ｂをタップして、日記（コメント）を送るか否かを選択する。即ち、日記を関係者に送りたくない場合には、チェックボックス２０３Ａを選択形状にし、チェックボックス２０３Ｂを非選択形状にする。日記を関係者に送りたい場合には、チェックボックス２０３Ａを非選択形状にし、チェックボックス２０３Ｂを選択形状にする。チェックボックス２０３Ａ、２０３Ｂにより選択された日記送信選択情報は、情報記憶部１２に一時的に記憶される。
【００３８】
名前登録・送信内容設定画面Ｇ２において、タッチパネル式ディスプレイ１０における戻るボタン２０４を表示している箇所がタップされると（ステップＳ２でＹ）、制御部２０はデータ入力画面Ｇ１を表示する。一方、次へボタン２０５を表示している箇所がタップされると（ステップＳ２でＮかつステップＳ３でＹ）、制御部２０は、タッチパネル式ディスプレイ１０に図８に示す送信先メールアドレス登録／送信画面Ｇ３を表示する（ステップＳ４）。
【００３９】
送信先メールアドレス登録／送信画面Ｇ３では、上部に「送信先メールアドレス登録／送信」との文字が配置されている。この下に、メールアドレスが入力されるアドレス入力手段としてのテキスト入力エリア３０１が複数、縦方向に並べて配置される。これらテキスト入力エリア３０１の右横にはそれぞれチェックボックス３０２がそれぞれ配置されている。また、複数のテキスト入力エリア３０１、チェックボックス３０２の下方には、戻るボタン３０３と、次へボタン３０４と、が横方向に並べて配置されている。
【００４０】
送信先メールアドレス登録／送信画面Ｇ３において、テキスト入力エリア３０１がタップされると、キーボード（図示なし）を表示する。利用者はこのキーボードを用いて、メールアドレスを入力する。テキスト入力エリア３０１に入力されたメールアドレスは情報記憶部１２に一時的に記憶される。制御部２０は、入力されたメールアドレスの文字列の構成を判定し、有効なメールアドレスであれば、チェックボックス３０２を自動的に選択形状にして送信有効にする。一方、不正なメールアドレスであれば、「メールアドレスを正しく登録してください」との文字を送信先メールアドレス登録／送信画面Ｇ３上に重ねて表示する。このとき、チェックボックス３０２は非選択形状のままであり、送信無効となる。
【００４１】
上述したようにチェックボックス３０２はアドレスが有効であれば自動的に選択形状になるが、利用者がチェックボックス３０２をタップすることにより、選択形状から非選択形状に切り替えて、送信無効にすることもできる。
【００４２】
送信先メールアドレス登録／送信画面Ｇ３において、タッチパネル式ディスプレイ１０における戻るボタン３０３を表示している箇所がタップされると（ステップＳ５でＹ）、制御部２０は、ステップＳ１に戻り、名前登録・送信内容設定画面Ｇ２を表示する。一方、次へボタン３０４を表示している箇所がタップされると（ステップＳ５でＮかつステップＳ６でＹ）、図９（Ａ）に示すテストメール送信画面Ｇ４を表示する（ステップＳ７）。
【００４３】
テストメール送信画面Ｇ４では、上部に「テストメール送信」、「送信ボタンを押すとテスト送信します」との文字が縦方向に並んで配置されている。この下に送信先メールアドレス登録／送信画面Ｇ３のテキスト入力エリア３０１に入力されたメールアドレスが縦方向に並べて表示される。また、表示されたメールアドレスのうち、送信先メールアドレス登録／送信画面Ｇ３のチェックボックス３０２により選択されたメールアドレスの右横には送信ボタン４０１が配置され、選択されていないメールアドレスの右横には未使用アイコン４０２が配置されている。さらに、メールアドレスの下方には、戻るボタン４０３と、完了ボタン４０４と、が横方向に並べて配置されている。
【００４４】
テストメール送信画面Ｇ４において、送信ボタン４０１を表示している箇所がタップされると（ステップＳ８でＹ）、制御部２０は、テストメール送信手段として機能し、通信部１４を制御してｗｅｂサーバ２にアクセスし、タップした送信ボタン４０１に対応するメールアドレスに図１０に示すようなテストメールを送信するように依頼すると共に「ＸＸＸにテストメールを送信しました」との文字をテストメール送信画面Ｇ４に重ねて表示させる（ステップＳ９）。なお、ＸＸＸは、テストメールの送信先アドレスである。関係者は、関係者端末３１〜３５を用いてテストメールを受信することにより、メールアドレスが正常に登録されたことを判断することができる。
【００４５】
その後、制御部２０は、図９（Ｂ）に示すように、送信ボタン４０１に代えて送信完了アイコン４０５を表示した後（ステップＳ１０）、ステップＳ７に戻る。なお、未使用アイコン４０２をタップしてもテストメールの送信は行われない。
【００４６】
テストメール送信画面Ｇ４において、戻るボタン４０３を表示している箇所がタップされると（ステップＳ８でＮかつステップＳ１１でＹ）、制御部２０は、ステップＳ４に戻り送信先メールアドレス登録／送信画面Ｇ３を表示する。一方、完了ボタン４０４を表示している箇所がタップされると（ステップＳ１２でＹ）、制御部２０は、名前登録・送信内容設定画面Ｇ２のテキスト入力エリア２０１、２０２に入力され、情報記憶部１２に記憶された入力者情報を情報保存部１３に保存する（ステップＳ１３）。また、制御部２０は、名前登録・送信内容設定画面Ｇ２のチェックボックス２０３Ａ、２０３Ｂにより選択され、情報記憶部１２に記憶された日記送信選択情報を情報保存部１３に保存する（ステップＳ１３）。さらに、制御部２０は、アドレス記憶処理手段として機能し、送信先メールアドレス登録／送信画面Ｇ３のテキスト入力エリア３０１に入力され、情報記憶部１２に記憶されたメールアドレスのうち、テストメール送信画面Ｇ４でテストメールを送信したメールアドレスのみを送信先メールアドレスとして情報保存部１３に保存した後（ステップＳ１３）、データ入力画面Ｇ１を表示する。戻ると、家族メール通知設定ボタン１０４には、「心の声ＯＮ」と表示され、入力した評価点数が関係者に送信されることを示す。
【００４７】
上述した評価点数の送信先の設定は、利用者本人のみならず、関係者が利用者のスマートフォン１を操作して行ってもよい。
【００４８】
［３．１．２．評価点数入力］
データ入力画面Ｇ１において、表１０３ａの項目名欄１０３ａ２に表示された各項目に対応する行がタップされると、当該項目に対応する項目選択シンボル１０３ｂを選択形状とし、当該項目以外の項目に対応する項目選択シンボル１０３ｂの非選択形状として、図１１に示す評価点数入力手段としての評価点数入力画面Ｇ５を表示する。
【００４９】
図１１に示す評価点数入力画面Ｇ５は、データ入力画面Ｇ１上に重ねて表示される。評価点数入力画面Ｇ５では、上から順に心身に係る複数の項目のうちデータ入力画面Ｇ１においてタップされた項目の名称５０１、前日の評価点数の見出しである「前日」、前日の評価点数を星の数で示す前日評価点数星表示５０３、当日の評価点数の見出しである「当日」、及び、当日の評価点数が入力されるとともに入力された当日の評価点数を星の数で示す当日評価点数星表示５０５、が配置されている。また、評価点数入力画面Ｇ５の下部に、入力された当日の評価点数を確定する記録ボタン５１１と、評価点数の入力をキャンセルするキャンセルボタン５１３と、が横方向に並べて配置されている。本実施形態において、前日評価点数星表示５０３及び当日評価点数星表示５０５は、１つの星が１点（半分は０．５点）を示しており、５つの白抜き星を横方向に並べて配置するとともに、これら白抜き星のうちの評価点数に対応した数の星を図の左側から順に当該星の半分刻みで塗りつぶすことにより、評価点数を表示している。
【００５０】
評価点数入力画面Ｇ５において、前日評価点数星表示５０３には、当該評価点数入力画面Ｇ５に係る項目（図示例では「睡眠」）に対応して情報保存部１３に記憶された前日分の評価点数を表示する。また、当日評価点数星表示５０５は、評価点数入力前は０点（５つの白抜き星）を表示しており、利用者によって当日評価点数星表示５０５がタップ又はドラッグされると、指が離された位置に対応した評価点数が入力され、この入力された評価点数を一時的に情報記憶部１２に記憶する。
【００５１】
具体的には、例えば、利用者が、左端の白抜き星に指を接触させるともに、指を接触したまま右側に向けてスライド移動させると、スライド移動に対応して白抜き星を順次塗りつぶしていく。そして、利用者が左から２つ目の白抜き星と３つ目の白抜き星との間で指を離すと、５つの白抜き星のうち左から２つが塗りつぶされ、塗りつぶされた星の数に対応して評価点数として２点が入力され、この評価点数を当該評価点数入力画面Ｇ５に係る項目に対応させて一時的に情報記憶部１２に記憶する。単に、利用者が左から２つ目の白抜き星と３つ目の白抜き星との間をタップした場合も同様である。本実施形態では、評価点数入力画面Ｇ５において、前日の評価点数についても表示する構成としているので、当該前日の評価点数を参考に当日の評価点数を入力することができ、入力時において、入力対象の項目について前日より改善したのか悪化したのかを容易に確認することができる。前日の評価点数の表示を省略した構成としてもよい。
【００５２】
そして、利用者が記録ボタン５１１をタップすると、制御部２０は、評価点数記憶処理手段として機能し、情報記憶部１２に一時的に記憶した評価点数を、情報保存部１３の項目テーブルＴ１に評価点数入力画面Ｇ５に係る項目及び当日の日付に関連づけて記憶し、情報記憶部１２内に記憶された更新フラグがオフであればオンした後、評価点数入力画面Ｇ５を消去する。また、利用者がキャンセルボタン５１３をタップすると、情報記憶部１２に一時的に記憶した評価点数を破棄して、評価点数入力画面Ｇ５を消去する。評価点数入力画面Ｇ５が消去されると、データ入力画面Ｇ１に戻る。
【００５３】
［３．１．３．コメント入力］
データ入力画面Ｇ１において、図示しないコメント欄がタップされると、当該コメント欄に対応する項目選択シンボル１０３ｂを選択形状とし、当該項目以外の項目に対応する項目選択シンボル１０３ｂを非選択形状として、図１２に示す文章入力手段としてのコメント入力画面Ｇ６を表示する。
【００５４】
図１２に示すコメント入力画面Ｇ６は、データ入力画面Ｇ１上に重ねて表示される。コメント入力画面Ｇ６では、上部にコメント入力画面の画面タイトルとしての「コメント」が配置され、縦方向中央部にテキスト入力エリア６０１がそれぞれ配置される。また、コメント入力画面Ｇ６の下部に、入力されたコメントを確定する記録ボタン６０２と、コメントの入力をキャンセルするキャンセルボタン６０３とが横方向に並べて配置されている。
【００５５】
コメント入力画面Ｇ６において、テキスト入力エリア６０１がタップされると、キーボード（図示なし）を表示する。利用者はこのキーボードを用いて、記録しておきたいコメント（文章）を入力する。コメント入力後、テキスト入力エリア６０１に入力されたコメントを一時的に情報記憶部１２に記憶する。図１２においては、コメントが入力された後のコメント入力画面Ｇ６を示している。そして、コメント入力画面Ｇ６において、記録ボタン６０２がタップされると、制御部２０は、文章記憶処理手段として機能し、情報記憶部１２に一時的に記憶したコメントを、情報保存部１３のコメントテーブルＴ２に、当日の日付に関連づけて記憶し、コメント入力画面Ｇ６を消去する。また、コメント入力画面Ｇ６においてキャンセルボタン６０３がタップされると、情報記憶部１２に一時的に記憶したコメントを破棄して、コメント入力画面Ｇ６を消去する。
【００５６】
［３．２．アプリ終了］
データ入力画面Ｇ１において、終了ボタン１０１がタップされると、制御部２０は、家族メール通知設定処理が行われていれば、図１３に示す家族メール通知処理を行った後、心身状態管理アプリを終了する。家族メール通知設定処理が行われていなければ、家族メール通知処理を行わずに、直ちに心身状態管理アプリを終了する。
【００５７】
家族通知メール処理において、制御部２０は、情報記録部１２に記録された更新フラグがオンされているか確認する（ステップＳ２０）。更新フラグがオンされていれば（ステップＳ２０でＹ）、制御部２０は、評価点数が更新されたと判断して、次に、情報保存部１３に記録された日記送信選択情報を確認する（ステップＳ２１）。日記送信選択情報が日記を送信するが選択された内容であった場合（ステップＳ２１でＹ）、制御部２０は、依頼処理手段として機能し、通信部１４を制御してｗｅｂサーバ２にアクセスし、図１４に示すような点数＋日記メールを情報保存部１３に保存された送信先メールアドレスに送るようにｗｅｂサーバ２に依頼した後（ステップＳ２２）、心身状態管理アプリを終了する。
【００５８】
詳しく説明すると、ステップＳ２２において、制御部２０は、図１４に示すように、評価点数の記録日時、入力者情報、メールのタイトルとなる文字列、情報保存部１３の項目テーブルＴ１に記憶された当日の項目毎の評価点数及びコメントテーブルＴ２に記憶された文章を示す文字列、送信先メールアドレスを附属パラメータとしてｗｅｂサーバ２に送信する。すなわち直接メールを送信するのではなくｗｅｂサーバ２にメール送信を依頼する。なお、ｗｅｂサーバ２は依頼に応じてパラメータで指定されたアドレスにメールを送信するサービスを提供している。ｗｅｂサーバ２は、依頼を受けると、送信先メールアドレスのメールサーバに図１４に示すような点数＋日記メールを送信する。関係者は、関係者端末３１〜３５を用いてメールサーバから、この点数＋日記メールを受信する。
【００５９】
日記送信選択情報が日記を送信しないが選択された内容であった場合（ステップＳ２１でＮ）、制御部２０は、依頼処理手段として機能し、通信部１４を制御してｗｅｂサーバ２にアクセスし、図１５に示すような点数のみメールを情報保存部１３に保存された送信先メールアドレスに送るようにｗｅｂサーバ２に依頼した後（ステップＳ２４）、心身状態管理アプリを終了する。
【００６０】
詳しく説明すると、ステップＳ２４において、制御部２０は、図１５に示すように、評価点数の記録日時、入力者情報、メールのタイトルとなる文字列、情報保存部１３の項目テーブルＴ１に記憶された当日の項目毎の評価点数を示す文字列、送信先メールアドレスを附属パラメータとしてｗｅｂサーバ２に送信する。制御部２０は、コメントテーブルＴ２に記憶された文章は送信しない。ｗｅｂサーバ２は、依頼を受けると、送信先メールアドレスのメールサーバに図１５に示すような点数のみメールを送信する。関係者は、関係者端末３１〜３５を用いてメールサーバから、この点数のみメールを受信する。
【００６１】
［４.本実施形態の作用効果］
上述した実施形態によれば、制御部２０は、心身状態管理アプリを終了したときに、情報保存部１３に記憶された評価点数が更新されていれば、情報保存部１３の項目テーブルＴ１に記憶された、項目及び日付に関連付けられた評価点数、及び、情報保存部１３に記憶された利用者情報を、送信先メールアドレスに送るようにｗｅｂサーバに依頼する。これにより、利用者は、評価点数の入力を行い、心身状態管理アプリを終了するだけで、メールの送信を意識することなく、あらかじめ登録された、関係者のメールアドレスに対して、評価点数をメールで送信できる。みかけ上メールを送信しているのはｗｅｂサーバ２であり利用者の端末にはメール送信の履歴は残らない。このことにより、関係者は、利用者が入力した評価点数をメールにて受信して、確認することができる。
【００６２】
上述した実施形態によれば、制御部２０は、送信先メールアドレス登録／送信画面Ｇ３のテキスト入力エリア３０１に入力されたメールアドレスにテストメールを送信し、テストメールを送信したメールアドレスを評価点数の送信先メールアドレスとして情報保存部１３に記憶させる。これにより、送信先メールアドレスの持ち主である関係者は、テストメールを受信することにより、メールアドレスが正常に登録されたことを判断することができる。
【００６３】
上述した実施形態によれば、制御部２０は、日記を送るが選択されている場合、コメントテーブルＴ２に記憶されたコメントを送信先メールアドレスに送るようにｗｅｂサーバ２に依頼し、日記を送らないが選択されている場合、コメントを送信先メールアドレスに送るように依頼しないので、日記を送信するか否かを利用者が選択することができる。これにより、日記のような任意の文章はプライバシーの関係から内容によっては関係者に見られたくないという心理があるが、そのような場合は文章を送らないようにすることができる。
【００６４】
［５.実施形態の変形例］
以上、本発明について、好ましい実施形態を挙げて説明したが、本発明の心身状態管理装置は、上述した実施形態の構成に限定されるものではない。
【００６５】
例えば、上述した実施形態によれば、タッチパネル式ディスプレイ１０に表示された名前登録・送信内容設定画面Ｇ２のテキスト入力エリア２０１、２０２により利用者情報を入力できるようにしていたが、これに限ったものではない。例えば、スマートフォン１に持ち主の情報が既に記録されていれば、その情報を利用者情報として記憶するようにしてもよい。
【００６６】
また、上述した実施形態によれば、タッチパネル式ディスプレイ１０に表示された送信先メールアドレス登録／送信画面Ｇ３のテキスト入力エリア３０１によりメールアドレスを入力できるようにしていたが、これに限ったものではない。例えば、スマートフォン１の電話帳に記録されているメールアドレスから選択できるようにしてもよい。
【００６７】
また、上述した実施形態によれば、制御部２０は、送信先メールアドレス登録／送信画面Ｇ３のテキスト入力エリア３０１に入力されたメールアドレスにテストメールを送信していたが、これに限ったものではない。テストメールを送信せずに、送信先メールアドレス登録／送信画面Ｇ３のテキスト入力エリア３０１に入力されたメールアドレスを送信先メールアドレスとして情報保存部１３に保存するようにしてもよい。
【００６８】
また、上述した実施形態によれば、評価点数の他に文章を入力できるようにしていたが、これに限ったものではない。評価点数しか入力できないものであってもよい。
【００６９】
また、上述した実施形態によれば、文章をメール送信するか否かを選択できたが、これに限ったものではない。本発明は少なくとも評価点数をメール送信できればよく、文章をメール送信するか否かは予め決められ、利用者によって選択できなくてもよい。
【００７０】
また、上述した実施形態によれば、心身状態管理装置をスマートフォンを用いて実現した構成について説明するものであるが、勿論、この構成に限定されるものではない。例えば、タブレット端末やパソコンなどを用いて心身状態管理装置を構成としてもよく、又は、組込用マイクロコンピュータなどを用いて専用の心身状態管理装置を構成してもよい。
【００７１】
なお、前述した実施形態は本発明の代表的な形態を示したに過ぎず、本発明は、実施形態に限定されるものではない。即ち、当業者は、従来公知の知見に従い、本発明の骨子を逸脱しない範囲で種々変形して実施することができる。かかる変形によってもなお本発明の心身状態管理装置の構成を具備する限り、勿論、本発明の範疇に含まれるものである。
【符号の説明】
【００７２】
１  スマートフォン（心身状態管理装置）
１０  タッチパネル式ディスプレイ（評価点数入力手段、アドレス入力手段、文章入力手段、送信選択手段）
１３  情報保存部（項目記憶手段、利用者情報記憶手段、アドレス記憶手段、文章記憶手段）
２０  制御部（評価点数記憶処理手段、依頼処理手段、テストメール送信手段、アドレス記憶処理手段、文章記憶処理手段）
２０３Ａ  チェックボックス（送信選択手段）
２０３Ｂ  チェックボックス（送信選択手段）
３０１  テキスト入力エリア（アドレス入力手段）
Ｇ５  評価点数入力画面（評価点数入力手段）
Ｇ６  コメント入力画面（文章入力手段）
【図１】
2017123098.tif 000003
【図２】
2017123098.tif 000004
【図３】
2017123098.tif 000005
【図４】
2017123098.tif 000006
【図５】
2017123098.tif 000007
【図６】
2017123098.tif 000008
【図７】
2017123098.tif 000009
【図８】
2017123098.tif 000010
【図９】
2017123098.tif 000011
【図１０】
2017123098.tif 000012
【図１１】
2017123098.tif 000013
【図１２】
2017123098.tif 000014
【図１３】
2017123098.tif 000015
【図１４】
2017123098.tif 000016
【図１５】
2017123098.tif 000017